(57)【特許請求の範囲】
【請求項１】
平面形状が略Ｌ字形の底壁と、この底壁の出隅側及び入隅側の側端から立ち上がる出隅側及び入隅側の側壁と、両端部に形成された軒樋嵌合部と、を備えた平面形状が略Ｌ字形の軒樋曲り継手であって、
上記曲り継手の入隅部が湾曲壁で形成されているか、又は、上記入隅側の側壁と上記底壁との角部及び上記入隅部の双方が湾曲壁で形成されており、この湾曲壁の曲率半径が上記曲り継手の入隅部の下端に近くなるほど漸増していることを特徴とする軒樋曲り継手。
【請求項２】
上記底壁の入隅部から出隅部に向かって山部が形成され、この山部の幅が底壁の入隅部に近くなるほど漸増していることを特徴とする請求項１に記載の軒樋曲り継手。
【発明の詳細な説明】
【技術分野】
【０００１】
本発明は、家屋の軒先の出隅部に設置されて軒樋を直角に接続する軒樋曲り継手に関し、更に詳しくは、温度変化に伴う軒樋の伸縮により圧縮力や引張力が繰り返し作用しても亀裂や破壊が生じ難い軒樋曲り継手に関する。
【背景技術】
【０００２】
図８に示すように、従来の一般的な軒樋曲り継手１００は、平面形状が略Ｌ字形の底壁１と、この底壁１の出隅側の側端から立ち上がる出隅側の側壁２と、底壁１の入隅側の側端から立ち上がる入隅側の側壁３と、両端部に形成された軒樋嵌合部４，４とを備えた、平面形状が略Ｌ字形の継手である。かかる軒樋曲り継手１００は家屋の軒先の出隅部に設置され、両端の軒樋嵌合部４，４に双方の軒樋（不図示）の端部が嵌合接着されて直角に接続されるようになっている。
【０００３】
しかしながら、上記の軒樋曲り継手１００は、入隅側の側壁３が底壁１の入隅側の側端から略直角に立ち上り、該側壁３が曲り継手１００の入隅部５で水平方向に略９０°屈曲しているため、両端の軒樋嵌合部４，４に嵌合接着された双方の軒樋が温度変化により伸縮を繰り返して圧縮力や引張力が曲り継手１００に作用すると、その応力が曲り継手１００の入隅部５や、入隅側の側壁３と底壁１との角部６に沿って、入隅部５の下端５ａに集中し、曲り継手１００の入隅部５の下端５ａ付近から亀裂や破壊が生じるという問題があった。
【０００４】
これに対し、曲り継手の入隅部に、出隅側に膨らんだ円弧状の壁を設け、この円弧状の壁の両側部を、入隅部と軒樋嵌合部とが滑らかに連続するように入隅側に膨らんだ円弧状の壁で形成した曲り継手が知られている（特許文献１）。この曲り継手は、入隅部に設けられた出隅側に膨らむ円弧状の壁と、その両側の入隅側に膨らむ円弧状の壁とで、応力の集中を緩和し、亀裂や破壊の防止を図ったものである。
【先行技術文献】
【特許文献】
【０００５】
【特許文献１】特許第３３７３０３４号公報
【発明の概要】
【発明が解決しようとする課題】
【０００６】
図８に示すような従来の軒樋曲り継手１００において、入隅部５の下端５ａへの応力集中を効果的に緩和するためには、この入隅部下端５ａに近くなるほど応力の分散作用が大きくなるような応力緩和手段を設けることが理想的である。けれども、前記特許文献１の曲り継手において応力緩和手段として採用されている前記円弧状の壁は、上端から下端まで曲率半径が一定しているため、上端から下端まで応力分散作用がほぼ一定して発揮されると考えられるものであり、入隅部の下端に近くなるほど応力分散作用が大きくなるものではないので、改良する余地があった。
【０００７】
また、前記特許文献１の曲り継手のように、入隅部に形成された円弧状の壁が出隅側に膨らみ、この円弧状の壁の両側部に形成された円弧状の壁が入隅側に膨らんでいると、曲り継手の入隅側の側壁全体が波形に蛇行した形状となるため、曲り継手の内部における水の流れが悪くなり、ゴミや土埃が溜まりやすくなるという問題もあった。
【０００８】
本発明は上記事情の下になされたもので、その目的とするところは、応力が最も集中する曲り継手の入隅部の下端に近づくほど応力分散作用が大きくなる、雨水の流れが良好な特定の応力分散手段を設けることにより、曲り継手の入隅部下端への応力集中を効果的に緩和して亀裂や破壊を防止できるようにすると共に、雨水の流れを良くしてゴミや土埃の滞溜も防止できるようにした軒樋曲り継手を提供することにある。
【課題を解決するための手段】
【０００９】
上記目的を達成するため、本発明に係る軒樋曲り継手は、平面形状が略Ｌ字形の底壁と、この底壁の出隅側及び入隅側の側端から立ち上がる出隅側及び入隅側の側壁と、両端部に形成された軒樋嵌合部と、を備えた平面形状が略Ｌ字形の軒樋曲り継手であって、上記曲り継手の入隅部が湾曲面で形成されているか、又は、上記入隅側の側壁と上記底壁との角部及び上記入隅部の双方が湾曲壁で形成されており、この湾曲壁の曲率半径が上記曲り継手の入隅部の下端に近くなるほど漸増していることを特徴とするものである。
【００１０】
本発明の軒樋曲り継手においては、上記底壁の入隅部から出隅部に向かって山部が形成され、この山部の幅が底壁の入隅部に近くなるほど漸増していることが望ましい。
【発明の効果】
【００１１】
本発明の軒樋曲り継手のように、入隅部が湾曲壁で形成されているか、又は、入隅側の側壁と底壁との角部及び入隅部の双方が湾曲壁で形成され、その曲率半径が入隅部の下端に近くなるほど漸増していると、両端の軒樋嵌合部に嵌合接着された双方の軒樋が温度変化により伸縮して圧縮力や引張力が曲り継手に繰り返し作用しても、上記の湾曲壁によって応力が分散され、この湾曲壁による応力分散作用は、曲り継手の入隅部下端に近づいて湾曲壁の曲率半径が大きくなるほど強くなる。従って、本発明の軒樋曲り継手は、入隅部下端への応力集中を上記の湾曲壁によって効果的に分散、緩和できるので、入隅部の下端付近から亀裂や破壊が生じるのを防止することができる。
【００１２】
また、軒樋曲り継手の入隅部や、入隅側の側壁と底壁との角部が、上記のような湾曲壁で形成されていると、流水抵抗が減少して軒樋曲り継手の内部における雨水の流れが良くなるため、軒樋曲り継手の内部にゴミや土埃などが溜まるのを防止することができる。そして、曲り継手の入隅部や上記の角部が丸くなって角がとれるため、曲り継手の側壁の外面に降りかかった雨水が入隅部の下端や上記の角部から落滴し難くなる。
【００１３】
また、上記底面の入隅部から出隅部に向かって山部が形成され、この山部の幅が底面の入隅部に近くなるほど漸増している軒樋曲り継手は、この山部によって応力が更に分散され、曲り継手の入隅部下端への応力集中が一層緩和されるので、亀裂や破壊をより確実に防止することができる。
【図面の簡単な説明】
【００１４】
【図１】本発明の一実施形態に係る軒樋曲り継手を斜め下方から見た斜視図である。
【図２】同軒樋曲り継手の平面図である。
【図３】同軒樋曲り継手の側面図である。
【図４】（ａ）は図３のＡ−Ａ線に沿った部分断面図、（ｂ）は図３のＢ−Ｂ線に沿った部分断面図である。
【図５】（ａ）は図２のＣ−Ｃ線に沿った部分断面図、（ｂ）は図２のＤ−Ｄ線に沿った部分断面図である。
【図６】（ａ）は図２のＥ−Ｅ線に沿った部分断面図、（ｂ）は図２のＦ−Ｆ線に沿った部分断面図である。
【図７】本発明の他の実施形態に係る軒樋曲り継手の平面図である。
【図８】従来の軒樋曲り継手を斜め下方から見た斜視図である。
【発明を実施するための形態】
【００１５】
以下、図面を参照して本発明の実施形態を詳述する。
【００１６】
図１は本発明の一実施形態に係る軒樋曲り継手を斜め下方から見た斜視図、図２は同軒樋曲り継手の平面図、図３は同軒樋曲り継手の側面図、図４の（ａ）は図３のＡ−Ａ線に沿った部分断面図、図４の（ｂ）は図３のＢ−Ｂ線に沿った部分断面図、図５の（ａ）は図２のＣ−Ｃ線に沿った部分断面図、図５の（ｂ）は図２のＤ−Ｄ線に沿った部分断面図、図６の（ａ）は図２のＥ−Ｅ線に沿った部分断面図、図６の（ｂ）は図２のＦ−Ｆ線に沿った部分断面図である。
【００１７】
この実施形態に係る軒樋曲り継手１０は合成樹脂で一体に射出成形したものであって、図１〜図３に示すように、平面形状が略Ｌ字形の底壁１と、底壁１の出隅側の側端から立ち上がる出隅側の側壁２と、底壁１の入隅側の側端から立ち上がる入隅側の側壁３と、これらの底壁１及び側壁２，３の両端部に形成された軒樋嵌合部４，４と、を備えた平面形状が略Ｌ字形の継手である。
【００１８】
この軒樋曲り継手１０は家屋の軒先の出隅部に設置され、図２に示すように両端の軒樋嵌合部４，４に双方の軒樋２０，２０の端部が嵌合接着されて直角に接続されるようになっている。両端の軒樋嵌合部４，４は、図１〜図３に示すように、それぞれの軒樋２０の端部を嵌め受ける略Ｕ字形の軒樋受部４ａと、この軒樋受部４ａの内側に形成されて軒樋２０の端部を内側から押える軒樋押え部４ｂと、この軒樋受部４ａの両側上端に形成されて軒樋２０の両側の耳部を押える耳押え部４ｃ，４ｃとを備えたものである。
【００１９】
この軒樋曲り継手１０の大きい特徴は、入隅部５の下端５ａへの応力集中を効果的に緩和するために、曲り継手の入隅部５、及び、入隅側の側壁３と底壁１との角部６を、円弧状に湾曲した曲率半径が徐々に変化する湾曲壁５０，６０で形成している点にある。
【００２０】
即ち、この軒樋曲り継手１０の入隅部５は、出隅側に向かって円弧状に凸湾曲する湾曲壁５０で形成されており、図１，図３，図４の（ａ）（ｂ）に示すように、この湾曲壁５０の曲率半径Ｒと幅は、曲り継手１０の入隅部５の下端５ａに近くなるほど徐々に大きくなっている。そして、この軒樋曲り継手１０の入隅側の側壁３と底壁１との角部６は、当該継手の外側に向かって円弧状に凸湾曲する湾曲壁６０で形成されており、図１，図２，図５の（ａ）（ｂ）に示すように、この湾曲壁６０の曲率半径Ｒと幅も、曲り継手１０の入隅部５の下端５ａに近くなるほど徐々に大きくなっている。
【００２１】
上記のように湾曲壁５０，６０の曲率半径Ｒが軒樋曲り継手１０の入隅部５の下端に近くなるほど漸増していると、これらの湾曲壁５０，６０による応力分散作用は、曲率半径Ｒが大きくなるほど、換言すれば、入隅部５の下端５ａに近づくほど強くなるため、軒樋２０，２０の伸縮によって生じる応力が入隅部５の下端５ａに集中するのを効果的に分散、緩和することができる。従って、軒樋曲り継手１０の入隅部５の下端５ａ付近から亀裂や破壊が生じるのを十分防止することができる。
【００２２】
また、軒樋曲り継手１０の入隅部５と角部６の双方が、上記のような湾曲壁５０，６０で形成されていると、流水抵抗が減少して軒樋曲り継手１０の内部における雨水の流れが良くなるため、軒樋曲り継手１０の内部にゴミや土埃などが溜まるのを防止することができる。そして、曲り継手１０の入隅部５や上記の角部６が丸くなって角がとれるため、曲り継手１０の側壁３の外面に降りかかった雨水が入隅部５の下端５ａや角部６から落滴し難くなる。
【００２３】
なお、この軒樋曲り継手１０は、入隅部５と角部６の双方を上記の湾曲壁５０，６０で形成しているが、入隅部５のみを上記の湾曲壁５０で形成するようにしてもよく、その場合でも入隅部５の下端５ａへの応力集中が十分緩和されるので、亀裂や破壊を防止することができる。
【００２４】
更に、この実施形態の軒樋曲り継手１０は、図１，図２に示すように、底面１の入隅部から出隅部に向かって山部７が形成され、この山部７の幅Ｗと高さは、図６の（ａ）（ｂ）に示すように底面１の入隅部に近くなるほど徐々に大きくなっている。このように底面１の入隅部に近くなるほど幅Ｗと高さが漸増する山部７が底面に形成されていると、この山部７によって応力が更に分散され、曲り継手１０の入隅部下端５ａへの応力集中が一層緩和されるので、亀裂や破壊をより確実に防止することができる。
【００２５】
また、この実施形態の軒樋曲り継手１０は、図１、図２に示すように、入隅側の側壁３が軒樋嵌合部４，４の入隅側の側壁４ｄ，４ｄより出隅側へオフセットした状態で形成されている。このように、入隅側の側壁３が出隅側へオフセットした状態で形成されていると、入隅側の側壁３と軒樋嵌合部４の入隅側の側壁４ｄとを連結する段差部分の壁により、軒樋の熱伸縮によって生じる応力が緩和される効果がある。また、図７に示す実施形態の軒樋曲り継手のように、入隅側の側壁３と軒樋嵌合部４の入隅側の側壁４ｄとを斜壁４ｅで連結してもよい。このような斜壁４ｅを設けると、熱伸縮によって生じた応力が斜壁４ｅで分散、緩和される効果があり、しかも、斜壁４ｅによって雨水の流れが良くなり、軒樋曲り継手の内部にゴミや土埃などが溜まるのを防止できる効果もある。更に、これらの実施形態のような軒樋外曲り継手においては、気温の低下に伴う軒樋の収縮により両端の軒樋嵌合部４，４が引っ張られた場合でも、入隅側の側壁３が建物の軒先の出隅部と接触することがないため、接触による割れを防止できる効果もある。
【００２６】
なお、図７に示す実施形態に係る軒樋曲り継手の上記以外の構成は、前述した図１〜６の実施形態の軒樋曲り継手の構成と実質的に同じであるので、図７において対応する箇所に対応する符合を付し、重複する説明は省略する。前記山部７は図７には表記していないが、前記山部７を形成しても勿論よい。
また、図１においては、湾曲壁５０，６０及び山部７の凹凸形状を分かりやすく示すために、便宜的に複数本の凹凸形状表示線Ｌを付記したが、このような凹凸形状表示線Ｌは本発明の軒樋曲り継手においては勿論存在しない。
【００２７】
以上の説明から理解できるように、本発明の軒樋曲り継手は、その入隅部、又は、入隅側の側壁と底壁との角部及び入隅部の双方に形成された前記の湾曲壁と、望ましくは底壁に形成される前記の山部によって、応力を効果的に分散し、入隅部の下端への応力集中を緩和して亀裂や破壊を十分防止すると共に、雨水の流れを良くしてゴミや土埃の滞溜も防止することができるといった顕著な効果を奏するものである。
【符号の説明】
【００２８】
１    底壁
２    出隅側の側壁
３    入隅側の側壁
４    軒樋嵌合部
５    入隅部
５ａ  入隅部の下端
６    入隅側の側壁と底壁との角部
７    山部
５０  入隅部に形成された湾曲壁
６０  入隅側の側壁と底壁との角部に形成された湾曲壁
１０，１００  軒樋曲り継手
【図１】
0006013753.tif 000002
【図２】
0006013753.tif 000003
【図３】
0006013753.tif 000004
【図４】
0006013753.tif 000005
【図５】
0006013753.tif 000006
【図６】
0006013753.tif 000007
【図７】
0006013753.tif 000008
【図８】
0006013753.tif 000009